(57)【特許請求の範囲】
【請求項１】
移動体端末に組み込まれ、放送された番組コンテンツを受信して再生するデジタル放送受信装置において、
上記番組コンテンツを受信する受信手段と、
上記受信手段からの番組コンテンツを録画データとして格納する記録手段と、
上記受信手段からの番組コンテンツ又は上記記録手段からの録画データを再生する再生手段と、
上記移動体端末の番組コンテンツ再生ウィンドウのフォーカスオフ状態又はフォーカスオン状態を監視する監視手段と、
上記監視手段による監視結果に基づき、上記移動体端末がフォーカスオン状態の場合に、上記受信手段からの番組コンテンツを上記再生手段により再生させ、上記移動体端末がフォーカスオフ状態となった場合に、上記再生手段による番組コンテンツの再生を停止させて上記受信手段からの番組コンテンツを上記記録手段に録画データとして録画し、上記移動体端末がフォーカスオン状態となった場合に、上記記録手段からの録画データを読み出して上記再生手段に再生させる録画再生制御手段とを備えたことを特徴とするデジタル放送受信装置。
【請求項２】
移動体端末に組み込まれ、放送された番組コンテンツを受信して再生するデジタル放送受信装置において、
上記番組コンテンツを受信する受信手段と、
上記受信手段からの番組コンテンツを録画データとして格納する記録手段と、
上記受信手段からの番組コンテンツ又は上記記録手段からの録画データを再生する再生手段と、
上記移動体端末の番組コンテンツ再生ウィンドウのフォーカスオフ状態又はフォーカスオン状態を監視する監視手段と、
上記受信手段からの番組コンテンツを上記記録手段に録画データとして録画すると共に上記再生手段に再生させ、上記監視手段による監視結果に基づき、上記移動体端末がフォーカスオン状態の場合に、上記再生手段による再生を続行させ、上記移動体端末がフォーカスオフ状態となった場合に、上記再生手段による再生を停止させ、停止させた番組コンテンツの位置を頭出しデータとして上記記録手段に記録し、上記移動体端末がフォーカスオン状態となった場合に、上記記録手段からの録画データを上記頭出しデータで示される時点から読み出して上記再生手段に再生させる録画再生制御手段とを備えたことを特徴とするデジタル放送受信装置。
【請求項３】
上記録画再生制御手段は、上記記録手段から録画データを読み出して再生させる場合に、上記受信手段からの番組コンテンツを再生させる場合よりも、高速に読み出して上記再生手段に再生させることを特徴とする請求項１又は請求項２記載のデジタル放送受信装置。
【請求項４】
上記録画再生制御手段は、読み出されていない録画データが上記記録手段に残っていない場合に、上記記録手段への録画を終了し、上記受信手段からの番組コンテンツを上記再生手段に再生させることを特徴とする請求項３記載のデジタル放送受信装置。
【発明の詳細な説明】
【技術分野】
【０００１】
この発明は、カーナビゲーションシステム等の移動体端末に組み込まれた状態で、所定の放送チャネルの番組コンテンツの録画再生処理を行うデジタル放送受信装置に関するものである。
【背景技術】
【０００２】
現在、カーナビゲーションシステム（以降、単にカーナビとする）や携帯情報端末等の移動体端末の中には、テレビチューナを備えて所定の放送チャネルの番組コンテンツをユーザが視聴できるように構成されたデジタル放送受信装置を組み込んだものがある。このようなデジタル放送受信装置では、移動体端末が放送チャネルを受信可能な場所に位置していれば、どのような場所であっても番組コンテンツをユーザは視聴することができる。【０００３】
しかし、この移動体端末に組み込まれたデジタル放送受信装置により番組コンテンツを視聴する場合、移動体端末の動作状況によっては番組コンテンツの視聴を妨げられる場合があり、視聴を妨げられている間に受信された放送チャネルの番組コンテンツをユーザは視聴することができなくなる。【０００４】
例えば、カーナビでは、番組コンテンツを再生している状態からカーナビの搭載された車両が走行を開始した場合に、番組コンテンツの再生を中断するように構成されたものが多い。このようなカーナビにおいては、車両の走行中に受信された放送チャネルの番組コンテンツをユーザは視聴することができなくなってしまう。また、番組コンテンツを再生している状態から車両が走行を開始した場合に、番組コンテンツの再生を中断しないように構成されたカーナビにおいても、運転者は車両の運転に集中しなければならないため、車両の走行中に受信されている放送チャネルの番組コンテンツを視聴することができなくなってしまう。【０００５】
さらに、携帯情報端末の中には、携帯情報端末を電話機として機能させるための通話機能を有しているものもあるが、このような携帯情報端末においては、番組コンテンツを再生している最中に着信があった場合に、通話中に受信された放送チャネルの番組コンテンツをユーザは視聴することができなくなってしまう。【０００６】
デジタル放送をランダムアクセス可能なメディアを使用して記録再生処理を行うデジタル放送受信装置として、例えば特許文献１に示すものがあるが、このようなデジタル放送受信装置を移動体端末に組み込んだ場合には、同様に、視聴が妨げられていた間に受信された放送チャネルの番組コンテンツを、ユーザは視聴が妨げられなくなった後に視聴することができない。【０００７】
【特許文献１】特開２００１−１０１７９７号公報（段落番号００１７−００１９、図１）
【０００８】
従来のデジタル放送受信装置は以上のように構成されているので、視聴が妨げられていた間に受信された放送チャネルの番組コンテンツを、ユーザは視聴が妨げられなくなった後に視聴することができないという課題があった。【０００９】
この発明は、上記のような課題を解決するためになされたもので、視聴が妨げられていた間に受信された放送チャネルの番組コンテンツを、ユーザが視聴が妨げられなくなった後に視聴することができるデジタル放送受信装置を得ることを目的とする。
【発明の開示】
【００１０】
この発明に係るデジタル放送受信装置は、移動体端末に組み込まれ、放送された番組コンテンツを受信して再生するものにおいて、上記番組コンテンツを受信する受信手段と、上記受信手段からの番組コンテンツを録画データとして格納する記録手段と、上記受信手段からの番組コンテンツ又は上記記録手段からの録画データを再生する再生手段と、上記移動体端末の番組コンテンツ再生ウィンドウのフォーカスオフ状態又はフォーカスオン状態を監視する監視手段と、上記監視手段による監視結果に基づき、上記移動体端末がフォーカスオン状態の場合に、上記受信手段からの番組コンテンツを上記再生手段により再生させ、上記移動体端末がフォーカスオフ状態となった場合に、上記再生手段による番組コンテンツの再生を停止させて上記受信手段からの番組コンテンツを上記記録手段に録画データとして録画し、上記移動体端末がフォーカスオン状態となった場合に、上記記録手段からの録画データを読み出して上記再生手段に再生させる録画再生制御手段とを備えたものである。
【００１１】
この発明により、視聴が妨げられていた間に受信された放送チャネルの番組コンテンツを、ユーザがその後に視聴することができるという効果が得られる。
【図面の簡単な説明】
【００１２】
【図１】この発明の実施の形態１によるデジタル放送受信装置の構成を示すブロック図である。
【図２】この発明の実施の形態１によるデジタル放送受信装置の録画再生処理の処理手順を示すフローチャートである。
【図３】この発明の実施の形態２によるデジタル放送受信装置の録画再生処理の処理手順を示すフローチャートである。
【発明を実施するための最良の形態】
【００１３】
以下、この発明をより詳細に説明するために、この発明を実施するための最良の形態について、添付の図面に従って説明する。
実施の形態１．
図１はこの発明の実施の形態１によるデジタル放送受信装置の構成を示すブロック図である。このデジタル放送受信装置は、アンテナ１１、チューナ１２、セレクタ１３、記録部１４、記録制御部１５、多重分離部１６、デコーダ１７、表示部１８、スピーカ１９、入力部２０、入力制御部２１、監視部２２、切替制御部２３及び記憶部２４を備えている。ここで、受信手段１はアンテナ１１とチューナ１２により構成され、記録手段２は記録部１４により構成され、再生手段３は多重分離部１６とデコーダ１７と表示部１８とスピーカ１９により構成され、監視手段４は監視部２２により構成され、録画再生制御手段５はセレクタ１３と記録制御部１５と切替制御部２３により構成されている。【００１４】
図１において、アンテナ１１はデジタル放送波を受信し、チューナ１２はアンテナ１１からのテレビ放送波を選局して番組コンテンツを受信する。チューナ１２はトランスポートストリーム（Ｔｒａｎｓｐｏｒｔ  Ｓｔｒｅａｍ：以下ＴＳとする）信号を受信可能とする。セレクタ１３はチューナ１２からの番組コンテンツのＴＳ信号を記録部１４や多重分離部１６に選択して出力すると共に、チューナ１２からのＴＳ信号又は記録部１４から読み出された録画データを選択して多重分離部１６に出力する。【００１５】
ここで、ＴＳについて補足する。「ストリーム」は、動画や音楽等を再生する際に全てのデータを受け取る前に再生を開始するデータ配列方式又は配列データである。ＭＰＥＧ−２では、任意の数の符号化された映像や音声、付加データ等の個別のストリームを多重化し、それぞれの同期をとりながら再生するための方式を規定しているが、広範囲のアプリケーションに対応するために規定されたストリームの１つがＴＳである。ＴＳは、放送に対応させるため１本のストリームの中を複数のプログラムで構成（各プログラムは、デジタルの映像、音声、データのパケットの配列からなる）することができるもので、また、放送や通信ネットワーク等、データの伝送誤りが発生する環境に適用されることを想定して冗長度を大きくとってある。ＴＳは伝送レートが固定の通信路で使用されている。【００１６】
記録部１４はチューナ１２からのＴＳ信号を録画データとして格納する。記録制御部１５は切替制御部２３の指示に基づき記録部１４へのＴＳ信号の録画と録画されている録画データの読み出しを行う。多重分離部１６は、チューナ１２からのＴＳ信号や記録部１４からの録画データを多重分離し、各パケット情報からデジタル映像及びデジタル音声を連続信号として生成する。デコーダ１７は多重分離部１６により多重分離された連続信号をデコードし、映像信号、音声信号、データ放送信号を取り出す。表示部１８はデコーダ１７から出力される映像信号により映像表示を行い、スピーカ１９は音声信号を受けて音声を取り出す。【００１７】
入力部２０はユーザが使用する種々の機器であり、入力制御部２１は入力部２０からの入力を制御するもので、入力制御部２１には、ユーザからの選局チャネル動作モードを含むキー入力等の情報が入力部２０から伝達される。また、入力制御部２１は、種々の入力部２０、例えば赤外線リモコンやタッチパネル等からの信号を抽象化されたレベルの信号、例えばチャネル番号１選択等に変換して切替制御部２３に伝達する。【００１８】
監視部２２は、このデジタル放送受信装置を搭載している移動体端末の状態を監視して、監視結果を切替制御部２３に通知する。例えば、このデジタル放送受信装置が移動体端末としてのカーナビに搭載されている場合には、監視部２２はカーナビを搭載している車両の走行状態を監視する。また、このデジタル放送受信装置が移動体端末としての携帯電話端末に搭載されている場合には、監視部２２は携帯電話端末の通話状態を監視する。さらに、このデジタル放送受信装置が移動体端末としての携帯情報端末に搭載されている場合には、監視部２２は携帯情報端末における番組コンテンツ再生ウィンドウのフォーカス状態を監視する。【００１９】
記憶部２４は録画番組として選択されている番組のＴＳ−ｉｄ及びサービス（ＴＳを構成する単位で、現行の地上波アナログ放送のチャネルに相当、以下「チャネル」と称する）を記憶している。ＴＳ−ｉｄは、各ＴＳに割り当てられたＩＤで、デジタル放送ではＴＳ毎に周波数帯域が割り当てられており、ＴＳの切り替えはこのＴＳ−ｉｄを用いてチューナ１２のチューニング処理を変えることにより行われる。記憶部２４には、チャネル切り替え（ＢＳデジタル、ＣＳデジタル、地上波デジタル等のＴＳの切り替えも含む）に必要な対応テーブル（ユーザにより指定されたチャネルがどのＴＳ−ｉｄのどのサービスに相当するかのテーブル）を含む情報が格納されており、チャネル切り替えの際に参照される。【００２０】
切替制御部２３は、入力制御部２１からのチャネル切り替え要求を受けて、記憶部２４を参照してチューナ１２が受信する放送チャネルを切り替えると共に、監視部２２の監視結果に基づきセレクタ１３及び記録制御部１５を制御する。【００２１】
次に動作について説明する。
図２はこの発明の実施の形態１によるデジタル放送受信装置の録画再生処理の処理手順を示すフローチャートである。ここでは、デジタル放送受信装置が移動体端末としてのカーナビに搭載された場合を例にとって説明する。この録画再生処理は、入力部２０を介したユーザからの指示により、このデジタル放送受信装置の動作モードがこの録画再生処理を実行しない通常モードからこの録画再生処理を実行するタイムシフトモードに切り替えられている状態で、入力部２０を介したユーザからの指示により放送チャネルが指定された際に開始される。そして、この録画再生処理は、動作モードが通常モードに切り替えられるか、カーナビが停止（電源オフ）された際に終了する。【００２２】
図２のステップＳＴ１１において、監視部２２は車両が走行中であるかどうかを監視して監視結果を切替制御部２３に通知する。この処理においては、例えば位置検出センサの速度センサにより車両の走行速度が検出されていれば車両が走行中であると判定し、車両の走行速度が検出されていなければ車両が停止中であると判定する。【００２３】
このステップＳＴ１１の処理で車両が停止中と判定されると、ステップＳＴ１２において、切替制御部２３はセレクタ１３を制御し、チューナ１２からのＴＳ信号を多重分離部１６に出力させ、多重分離部１６がＴＳ信号を多重分離し、各パケット情報からデジタル映像及びデジタル音声を連続信号として生成し、デコーダ１７が多重分離部１６により多重分離された信号をデコードし、映像信号、音声信号、データ放送信号を取り出すことにより、指定された放送チャネルの番組コンテンツを再生する。この処理においては、指定された放送チャネルにおける番組コンテンツの映像が表示部１８に表示されると共に番組コンテンツの音声がスピーカ１９から出力される。【００２４】
ステップＳＴ１３において、入力制御部２１はユーザによる入力部２０を介した放送チャネルを切り替えるための操作が行われたかどうかをチェックする。このステップＳＴ１３の処理で放送チャネルを切り替えるための操作が行われたら、ステップＳＴ１４において、切替制御部２３は記憶部２４を参照してチューナ１２が受信する放送チャネルを切り替える。【００２５】
こうして、ステップＳＴ１４の処理を終えるか、ステップＳＴ１３の処理で放送チャネルを切り替えるための操作が行われていなければ、ステップＳＴ１１の処理に戻る。【００２６】
ステップＳＴ１１の処理で、監視部２２は車両が走行中であることを検出すると、ステップＳＴ１５において、切替制御部２３は、セレクタ１３を制御して、チューナ１２からのＴＳ信号の多重分離部１６への出力を停止させることにより、指定された放送チャネルの番組コンテンツの再生を停止させる。この処理においては、指定された放送チャネルの番組コンテンツの映像が表示部１８に表示されなくなり、音声がスピーカ１９から出力されなくなる。【００２７】
ステップＳＴ１６において、切替制御部２３は、セレクタ１３及び記録制御部１５を制御して、チューナ１２からのＴＳ信号を記録部１４に出力することにより、ステップＳＴ１５の処理で再生が停止された番組コンテンツの録画を開始する。この処理において、番組コンテンツは記録部１４に録画データとして格納される。ステップＳＴ１７において、監視部２２は車両が走行中であるかどうかを監視して監視結果を切替制御部２３に通知する。この処理はステップＳＴ１１の処理と同様の処理である。【００２８】
このステップＳＴ１７の処理で車両が走行中であれば、ステップＳＴ１８において、入力制御部２１は入力部２０により放送チャネルを切り替えるための操作が行われたかどうかをチェックする。この処理はステップＳＴ１３の処理と同様の処理である。このステップＳＴ１８の処理で放送チャネルを切り替えるための操作が行われていなければ、ステップＳＴ１７の処理に戻る。一方、ステップＳＴ１８の処理で放送チャネルを切り替えるための操作が行われたら、ステップＳＴ１９において、切替制御部２３は記憶部２４を参照してチューナ１２が受信する放送チャネルを切り替える。【００２９】
ステップＳＴ２０において、切替制御部２３はセレクタ１３及び記録制御部１５を制御し、チューナ１２からのＴＳ信号の記録部１４への出力を停止させて、ステップＳＴ１６の処理で開始された番組コンテンツの録画を終了させる。こうして、ステップＳＴ２０の処理を終えた後、ステップＳＴ１６の処理に戻る。これによって、ステップＳＴ１６以降の処理で、ステップＳＴ１９の処理で切り替えられた放送チャネルの番組コンテンツが録画されることになる。【００３０】
一方、監視部２２によるステップＳＴ１７の処理で車両が停止中であれば、ステップＳＴ２１において、切替制御部２３はセレクタ１３及び記録制御部１５を制御し、記録部１４に格納されている録画データを読み出して多重分離部１６に出力させることにより、番組コンテンツの再生を開始する。この処理においては、記録部１４に格納されている録画データのうち、ステップＳＴ１６の処理で録画が開始された以降の録画データで示される番組コンテンツが、切替制御部２３からの指示を受けた記録制御部１５により通常よりも高速（ステップＳＴ１２による番組コンテンツの再生よりも１．２倍の速度）に再生される（時間短縮再生）。なお、ここでは、録画データで示される番組コンテンツの映像が表示部１８に表示されると共に番組コンテンツの音声がスピーカ１９から出力される。【００３１】
ステップＳＴ２２において、監視部２２は車両が走行中であるかどうかを監視して監視結果を切替制御部２３に通知する。この処理はステップＳＴ１１及びステップＳＴ１７の処理と同様の処理である。このステップＳＴ２２の処理で車両が走行中であれば、ステップＳＴ２３において、ステップＳＴ２１の処理で開始された番組コンテンツの再生を一旦停止してステップＳＴ１７の処理に戻る。この後、再度、ステップＳＴ１７からステップＳＴ２１の処理に移った際には、このステップＳＴ２３の処理で一旦停止した時点から番組コンテンツの再生が再開される。【００３２】
一方、ステップＳＴ２２の処理で車両が停止中であれば、ステップＳＴ２４において、切替制御部２３の指示に基づき記録制御部１５は再生すべき録画データが記録部１４に残っているかどうかをチェックする。ステップＳＴ２１の処理で録画済番組の再生を開始した後も、ステップＳＴ１６の処理による番組コンテンツの録画は継続されている。そのため、ステップＳＴ２１の処理では、ステップＳＴ１６の処理で録画された番組コンテンツが順次再生されていくことになる。しかし、ステップＳＴ２１の処理では、番組コンテンツが通常よりも高速に再生されるため、ステップＳＴ１６の処理で録画された録画データがなくなってしまい、録画データによる番組コンテンツの再生が、チューナ１２により受信されているリアルタイムな番組コンテンツの再生に追いついてしまうことがある。そこで、このステップＳＴ２４の処理では、ステップＳＴ２１の処理で再生を開始した番組コンテンツの録画データが残っているかどうかをチェックすることによって、録画データによる番組コンテンツの再生が、チューナ１２により受信されているリアルタイムな番組コンテンツの再生に追いついたかどうかがチェックされる。【００３３】
このステップＳＴ２４の処理で、再生すべき録画データが残っていなければ、ステップＳＴ２５において、記録制御部１５からの通知を受けた切替制御部２３は、セレクタ１３及び記録制御部１５を制御して録画を終了し、ステップＳＴ１２の処理に戻る。こうして、ステップＳＴ１２の処理において、チューナ１２により受信されている放送チャネルの番組コンテンツがリアルタイムに再生されるようになる。【００３４】
一方、ステップＳＴ２４の処理で、再生すべき録画データが残っていれば、ステップＳＴ２６において、入力制御部２１は放送チャネルを切り替えるための操作が行われたかどうかをチェックする。この処理は、ステップＳＴ１３及びステップＳＴ１８の処理と同様の処理である。【００３５】
このステップＳＴ２６の処理で放送チャネルを切り替えるための操作が行われていなければ、ステップＳＴ２２の処理に戻る。一方、ステップＳＴ２６の処理で放送チャネルを切り替えるための操作が行われたら、ステップＳＴ２７において、切替制御部２３は記憶部２４を参照してチューナ１２が受信する放送チャネルを切り替えて、ステップＳＴ２８において、切替制御部２３はセレクタ１３及び記録制御部１５を制御して録画及び再生を終了する。この処理においては、ステップＳＴ１６の処理で開始された番組の録画及びステップＳＴ２１の処理で開始された番組コンテンツの再生が終了される。こうして、ステップＳＴ２８の処理を終えた後、ステップＳＴ１１の処理に戻る。【００３６】
以上のように、この実施の形態１によれば、図２におけるステップＳＴ１６の処理で、車両が走行中となった以降に受信される放送チャネルの番組コンテンツが記録部１４に録画データとして格納され、格納された録画データを車両が停止中となった後で再生することにより、車両が走行中に受信された放送チャネルの番組コンテンツを、ユーザは走行停止後に視聴することができるという効果が得られる。【００３７】
実施の形態２．
この発明の実施の形態２によるデジタル放送受信装置の構成を示すブロック図は上記実施の形態１の図１に示すものと同一である。上記実施の形態１では車両の走行を検出後に録画を開始したのに対し、この実施の形態２では放送チャネルの選局と同時に番組コンテンツの録画と再生を開始する。【００３８】
次に動作について説明する。
図３はこの発明の実施の形態２によるデジタル放送受信装置の録画再生処理の処理手順を示すフローチャートである。ここでも、デジタル放送受信装置が移動体端末としてのカーナビに搭載された場合を例にとって説明する。この録画再生処理は、入力部２０を介したユーザからの指示により、このデジタル放送受信装置の動作モードがこの録画再生処理を実行しない通常モードからこの録画再生処理を実行するタイムシフトモードに切り替えられている状態で、入力部２０を介したユーザからの指示により放送チャネルが指定された際に開始される。そして、この録画再生処理は、動作モードが通常モードに切り替えられるか、カーナビが停止（電源オフ）された際に終了する。【００３９】
ステップＳＴ３１において、切替制御部２３はチューナ１２、セレクタ１３及び記録制御部１５を制御し、ユーザから入力部２０及び入力制御部２１を介して指定された放送チャネルの番組コンテンツの再生及び録画を開始する。ここでは、セレクタ１３は切替制御部２３からの指示に基づき、チューナ１２からのＴＳ信号を多重分離部１６に出力すると共に記録部１４にも出力する。すなわち、番組コンテンツは表示部１８に表示されスピーカ１９より音声として出力されると共に記録部１４に録画データとして格納される。【００４０】
ステップＳＴ３２において、監視部２２は車両が走行中であるかどうかを監視して監視結果を切替制御部２３に通知する。この処理においては、例えば位置検出センサ群の速度センサにより車両の走行速度が検出されていれば車両が走行中であると判定し、車両の走行速度が検出されていなければ車両が停止中であると判定する。このステップＳＴ３２の処理で車両が停止中であれば、ステップＳＴ３３において、ステップＳＴ３１で開始した指定された放送チャネルの番組コンテンツの再生を続行する。【００４１】
ステップＳＴ３４において、入力制御部２１は放送チャネルを切り替えるための操作が行われたかどうかをチェックする。このステップＳＴ３４の処理で放送チャネルを切り替えるための操作が行われていなければ、ステップＳＴ３２の処理に戻る。【００４２】
一方、ステップＳＴ３４の処理で放送チャネルを切り替えるための操作が行われたら、ステップＳＴ３５において、切替制御部２３は記憶部２４を参照してチューナ１２が受信する放送チャネルを切り替える。ステップＳＴ３６において、切替制御部２３はセレクタ１３及び記録制御部１５を制御して記録部１４への番組コンテンツの録画を終了する。この処理においては、ステップＳＴ３１の処理で開始された番組コンテンツの録画が終了されると共に記録部１４に格納されている録画データのうち、ステップＳＴ３１の処理以降に記録された録画データが消去される。【００４３】
こうして、ステップＳＴ３６の処理を終えた後、ステップＳＴ３１の処理に戻る。これによって、ステップＳＴ３１以降の処理で、ステップＳＴ３５の処理で切り替えられた放送チャネルの番組コンテンツの再生及び録画が行われることになる。【００４４】
一方、監視部２２によるステップＳＴ３２の処理で車両が走行中であれば、ステップＳＴ３７において、切替制御部２３はセレクタ１３を制御して放送チャネルの番組コンテンツの再生を停止する。この処理においては、放送チャネルの番組コンテンツの表示部１８への表示とスピーカ１９への出力が停止される。【００４５】
ステップＳＴ３８において、記録制御部１５は切替制御部２３の指示に基づき記録部１４に格納される録画データについての頭出しデータを記録する。頭出しデータは、録画データで示される番組コンテンツにおける時間軸上の位置（タイミング）を特定するためのデータであって、以降の処理で番組を頭出し再生する際に利用されるものである。この処理においては、ステップＳＴ３２の処理で車両が走行中となった、つまり、車両が走行を開始したタイミングを特定するための頭出しデータが記録部１４に記録される。【００４６】
ステップＳＴ３９において、監視部２２は車両が走行中であるかを監視して監視結果を切替制御部２３に通知する。この処理は、ステップＳＴ３２の処理と同様の処理である。このステップＳＴ３９の処理で車両が走行中であれば、ステップＳＴ４０において、入力制御部２１は放送チャネルを切り替えるための操作が行われたかどうかをチェックする。この処理は、ステップＳＴ３４の処理と同様の処理である。【００４７】
このステップＳＴ４０の処理で放送チャネルを切り替えるための操作が行われていなければ、ステップＳＴ３９の処理に戻る。一方、ステップＳＴ４０の処理で放送チャネルを切り替えるための操作が行われたら、ステップＳＴ４１において、切替制御部２３は記憶部２４を参照してチューナ１２が受信する放送チャネルを切り替える。【００４８】
ステップＳＴ４２において、切替制御部２３はセレクタ１３及び記録制御部１５を制御して録画を終了する。この処理においては、ステップＳＴ３６の処理と同様に、番組コンテンツの録画が終了されると共に録画データが消去される。こうして、ステップＳＴ４２の処理を終了した後、ステップＳＴ３１の処理に戻る。これによって、ステップＳＴ３１以降の処理で、ステップＳＴ４１の処理で切り替えられた放送チャネルの番組コンテンツの再生及び録画が行われることになる。【００４９】
一方、監視部２２によるステップＳＴ３９の処理で車両が停止中であれば、ステップＳＴ４３において、切替制御部２３はセレクタ１３及び記録制御部１５を制御して番組コンテンツの再生を開始する。この処理においては、記録制御部１５は記録部１４に格納されている録画データで示される番組コンテンツを、記録部１４に記録されている頭出しデータで示される時点から頭出し再生する。このとき、記録制御部１５は切替制御部２３の指示に基づき録画データで示される番組コンテンツを通常よりも高速（ステップＳＴ３３による番組コンテンツの再生よりも１．２倍）に再生する（時間短縮再生）。なお、ここでは、録画データで示される番組コンテンツが表示部１８に表示されると共に番組コンテンツの音声がスピーカ１９から出力される。【００５０】
ステップＳＴ４４において、監視部２２は車両が走行中であるかどうかを監視して監視結果を切替制御部２３に通知する。この処理は、ステップＳＴ３２及びステップＳＴ３９の処理と同様の処理である。このステップＳＴ４４の処理で車両が走行中であれば、ステップＳＴ４５において、切替制御部２３はセレクタ１３及び記録制御部１５を制御して、ステップＳＴ４３の処理で開始された番組コンテンツの再生を終了する。ステップＳＴ４６において、記録制御部１５は頭出しデータを記録し直した後、ステップＳＴ３９の処理に戻る。このステップＳＴ４６の処理においては、ステップＳＴ４４の処理で車両が走行中となった、つまり、車両が走行を開始したタイミングを特定するための頭出しデータが記録部１４に記録される。【００５１】
また、監視部２２によるステップＳＴ４４の処理で車両が停止中であれば、ステップＳＴ４７において、記録制御部１５は切替制御部２３の指示に基づき再生すべき録画データが記録部１４に残っているかどうかをチェックする。ステップＳＴ４３の処理で録画済番組の再生を開始した後も、ステップＳＴ３１の処理による番組の録画は継続されている。そのため、ステップＳＴ４３の処理では、ステップＳＴ３１の処理で録画された番組コンテンツが順次再生されていくことになる。しかし、ステップＳＴ４３の処理では、番組コンテンツが通常よりも高速に再生されるため、ステップＳＴ３１の処理で録画された録画データがなくなってしまい、録画データによる番組コンテンツの再生が、チューナ１２により受信されているリアルタイムな番組の再生に追いついてしまうことがある。そこで、このステップＳＴ４７の処理では、ステップＳＴ４３の処理で再生を開始した番組コンテンツの録画データが残っているかどうかをチェックすることによって、録画データによる番組コンテンツの再生が、チューナ１２により受信されているリアルタイムな番組コンテンツの再生に追いついたかどうかがチェックされる。【００５２】
このステップＳＴ４７の処理で、再生すべき録画データが残っていなければ、ステップＳＴ４８において、切替制御部２３はセレクタ１３及び記録制御部１５を制御して録画を終了し、ステップＳＴ３３の処理に戻る。一方、ステップＳＴ４７の処理で、再生すべき録画データが残っていれば、ステップＳＴ４９において、入力制御部２１はユーザにより放送チャネルを切り替えるための操作が行われたかどうかをチェックする。この処理はステップＳＴ３４及びステップＳＴ４０の処理と同様の処理である。【００５３】
このステップＳＴ４９の処理で放送チャネルを切り替えるための操作が行われていなければ、ステップＳＴ４４の処理に戻る。一方、ステップＳＴ４９の処理で放送チャネルを切り替えるための操作が行われたら、ステップＳＴ５０において、切替制御部２３は記憶部２４を参照してチューナ１２が受信する放送チャネルを切り替えて、ステップＳＴ５１において、切替制御部２３はセレクタ１３及び記録制御部１５を制御して録画及び再生を終了する。この処理においては、ステップＳＴ３１の処理で開始された番組コンテンツの録画及びステップＳＴ４３の処理で開始された番組コンテンツの再生が終了されると共に、記録部１４内に格納された録画データのうちステップＳＴ３１の処理以降に録画された録画データが消去される。こうして、ステップＳＴ５１の処理を終えた後、ステップＳＴ３１の処理に戻る。【００５４】
以上のように、この実施の形態２によれば、走行中の車両が停止した際に、車両が走行中となった以後に録画された番組コンテンツの再生が図３におけるステップＳＴ４３の処理において開始されるため、ユーザは車両が走行中に受信された放送チャネルの番組コンテンツを走行停止後に視聴することができるという効果が得られる。【００５５】
実施の形態３．
この発明の実施の形態３によるデジタル放送受信装置の構成を示すブロック図は上記実施の形態１の図１に示すものと同一である。【００５６】
次に動作について説明する。
上記実施の形態１及び上記実施の形態２では、デジタル放送受信装置が移動体端末としてのカーナビに搭載されているが、この実施の形態３では、デジタル放送受信装置が移動体端末としての携帯電話端末に搭載されているものとする。【００５７】
この発明の実施の形態３によるデジタル放送受信装置の録画再生処理の処理手順を示すフローチャートは、上記実施の形態１の図２及び上記実施の形態２の図３に示すものと同等である。図２及び図３における車両の走行状態検出を通話状態検出に置き換えることにより、すなわち、車両の走行状態を通話状態に置き換え、車両の停止状態を非通話状態に置き換えることにより、デジタル放送受信装置が携帯電話端末に搭載されている場合にも、同様の機能を実現可能である。この通話状態及び非通話状態の検出は図１の監視部２２により行われる。【００５８】
以上のように、この実施の形態３によれば、ユーザは、携帯電話端末で通話中に受信された放送チャネルの番組コンテンツを、通話終了後に視聴することができるという効果が得られる。【００５９】
実施の形態４．
この発明の実施の形態４によるデジタル放送受信装置の構成を示すブロック図は上記実施の形態１の図１に示すものと同一である。【００６０】
次に動作について説明する。
上記実施の形態１及び上記実施の形態２では、デジタル放送受信装置が移動体端末としてのカーナビに搭載されているが、この実施の形態４では、デジタル放送受信装置が移動体端末としての携帯情報端末に搭載されているものとする。【００６１】
この発明の実施の形態４によるデジタル放送受信装置の録画再生処理の処理手順を示すフローチャートは、上記実施の形態１の図２及び上記実施の形態２の図３に示すものと同等である。図２及び図３における車両の走行状態検出をウィンドウのフォーカス状態検出に置き換える。例えば、番組コンテンツ再生ウィンドウと電子メールウィンドウの２つのウィンドウが携帯情報端末の画面上に表示されている場合に、ユーザが電子メールを作成するために電子メールウィンドウ上で操作を行っている状態では、電子メールウィンドウがフォーカスオンで、番組コンテンツ再生ウィンドウがフォーカスオフの状態となっている。すなわち、車両の走行状態を番組コンテンツ再生ウィンドウのフォーカスオフ状態に置き換え、車両の停止状態を番組コンテンツ再生ウィンドウのフォーカスオン状態に置き換えることにより、デジタル放送受信装置が携帯情報端末に搭載されている場合にも、同様の機能を実現可能である。この番組コンテンツ再生ウィンドウのフォーカスオフ状態及びフォーカスオン状態の検出は図１の監視部２２により行われる。【００６２】
以上のように、この実施の形態４によれば、ユーザは、携帯情報端末での番組コンテンツ再生ウィンドウがフォーカスオフの状態中に受信された放送チャネルの番組コンテンツを、フォーカスオン状態となった後に視聴することができるという効果が得られる。
【産業上の利用可能性】
【００６３】
以上のように、この発明に係るデジタル放送受信装置は、ユーザが視聴を妨げられている間に受信した番組コンテンツを後で視聴するのに適している。
【図１】
0004213185.tif 000002
【図２】
0004213185.tif 000003
【図３】
0004213185.tif 000004